(57)【要約】【課題】構成が簡易であると共に、消費者の注意を引き付ける効果（アイキャッチ効果）が高い商品陳列用ラベルを提供する。【解決手段】折り曲げられて被服２０の外衿側から前記被服の内側２４に向けて延びるように構成されると共に、少なくとも前記被服に関する情報が記載されるべき表示片１０ａを備えた商品陳列用ラベル１０において、前記表示片の端部を少なくとも部分的に延長させて延長部位１０ａ１を形成し、前記延長部位を前記被服の内側に逢着される衿ネーム２６に挿入して掛止させる。また、前記延長部位の末端を幅方向に拡大させて突起１０ａ２を形成し、前記延長部位を前記衿ネームに挿入した後、前記突起によって前記衿ネームに掛止させる。【選択図】図２
2005156724.tif 000002
【特許請求の範囲】
【請求項１】
折り曲げられて被服の外衿側から前記被服の内側に向けて延びるように構成されると共に、少なくとも前記被服に関する情報が記載されるべき表示片を備えた商品陳列用ラベルにおいて、前記表示片の端部を少なくとも部分的に延長させて延長部位を形成し、前記延長部位を前記被服の内側に逢着される衿ネームに挿入して掛止させるように構成したことを特徴とする商品陳列用ラベル。
【請求項２】
前記延長部位の末端を幅方向に拡大させて突起を形成し、前記延長部位を前記衿ネームに挿入した後、前記突起によって前記衿ネームに掛止させるように構成したことを特徴とする請求項１記載の商品陳列用ラベル。
【請求項３】
前記表示片に、前記被服の外衿側において少なくとも部分的に連続すると共に、折り返されて前記被服の内衿側に挿入されるべき折り返し片を形成するように構成したことを特徴とする請求項１または２記載の商品陳列用ラベル。
【請求項４】
前記表示片の、前記被服の外衿側における面積を前記被服の後側における前記外衿の面積よりも大きくするように構成したことを特徴とする請求項１から３のいずれかに記載の商品陳列用ラベル。
【請求項５】
前記折り返し片が、前記表示片の一部を切り欠いて形成されるように構成したことを特徴とする請求項３または４記載の商品陳列用ラベル。
【発明の詳細な説明】
【技術分野】
【０００１】
この発明は、被服などに付される商品陳列用ラベルに関する。
【背景技術】
【０００２】
従来、シャツ、背広、パジャマなどの被服を店舗で販売する際、被服のサイズ、素材、特徴、広告など（以下、「被服に関する情報」という）は、商品陳列用ラベルに記載され、その商品陳列用ラベルが被服に付されていることが多い。また、被服はハンガーなどに掛けられて陳列された状態で販売されることが多い。その際、商品陳列用ラベルの一部に孔が穿設され、そこに紐が挿通され、その紐が被服のボタン穴またはボタンに係止されることによって、商品陳列用ラベルは被服に吊り下げられている。
【０００３】
この場合、ハンガーに掛けられた複数の被服がハンガーラックに連続して陳列されると、商品陳列用ラベルは隣接する被服に隠れる状態となり、消費者および販売員にとって見辛くなってしまうという不都合があった。
【０００４】
一方、消費者の注意を引き付けるため（アイキャッチ効果）の商品陳列用ラベルとして、被服に関する情報を記載した商品陳列用ラベル（以下、「ハンガーポップ」という）が、ハンガーの被服で覆われない箇所に取り付けられるものがよく知られている。しかしながら、上記のようにハンガーポップがハンガー本体に取り付けられてしまうと、販売員がハンガーに掛けられた被服を交換する度に、ハンガーポップも同様に交換する必要があって不便であった。
【０００５】
そこで、例えば特許文献１に記載される技術は、衿用表示札１（商品陳列用ラベル）を、衿３０の頂部３３に跨るように折り曲げると共に、被服に関する情報を記載した内側表示部５と外側表示部６（表示片）とから構成し、それらを被服の内側および外衿側に取り付けるように構成している。即ち、衿用表示札１（商品陳列用ラベル）を衿に取り付けることで、上記した課題を解決している。さらに、この技術は、内側表示部５（被服の内側に向けて延びる表示片）の一端が被服から浮いてしまうことがあるため、前記内側表示部５の一部に糊付け部１７を設けるように構成している。
【特許文献１】実用新案登録第３０７６０２３号公報（段落０００７から００１０、図２および３など）
【発明の開示】
【発明が解決しようとする課題】
【０００６】
しかしながら、上記のように内側表示部の一部に糊付け部が設けられると、販売員が被服または商品陳列用ラベルに糊を付ける作業が必要となって煩瑣であった。さらに、例えば消費者が陳列された被服を手に取るなどした場合に、糊付け部が被服から剥がれてしまい、商品陳列用ラベルが脱落するという問題があった。
【０００７】
従って、この発明の目的は上記した課題を解決することにあり、構成が簡易であると共に、消費者の注意を引き付ける効果（アイキャッチ効果）が高い商品陳列用ラベルを提供することにある。
【課題を解決するための手段】
【０００８】
上記の課題を解決するために、請求項１にあっては、折り曲げられて被服の外衿側から前記被服の内側に向けて延びるように構成されると共に、少なくとも前記被服に関する情報が記載されるべき表示片を備えた商品陳列用ラベルにおいて、前記表示片の端部を少なくとも部分的に延長させて延長部位を形成し、前記延長部位を前記被服の内側に逢着される衿ネームに挿入して掛止させるように構成した。
【０００９】
また、請求項２にあっては、前記延長部位の末端を幅方向に拡大させて突起を形成し、前記延長部位を前記衿ネームに挿入した後、前記突起によって前記衿ネームに掛止させるように構成した。
【００１０】
また、請求項３にあっては、前記表示片に、前記被服の外衿側において少なくとも部分的に連続すると共に、折り返されて前記被服の内衿側に挿入されるべき折り返し片を形成するように構成した。
【００１１】
また、請求項４にあっては、前記表示片の、前記被服の外衿側における面積を前記被服の後側における前記外衿の面積よりも大きくするように構成した。
【００１２】
また、請求項５にあっては、前記折り返し片が、前記表示片の一部を切り欠いて形成されるように構成した。
【発明の効果】
【００１３】
請求項１に係る商品陳列用ラベルにおいては、表示片の端部を少なくとも部分的に延長させて延長部位を形成し、前記延長部位を被服の内側に逢着される衿ネームに挿入して掛止させるように構成したので、簡易な構成であると共に、消費者の注意を引き付ける効果（アイキャッチ効果）を高くすることができる。さらに、消費者が陳列された被服を手に取るなどした場合でも、表示片の一端が被服から浮く（剥がれる）ことがなく、よって脱落を防止することができる。
【００１４】
また、請求項２に係る商品陳列用ラベルにあっては、前記延長部位の末端を幅方向に拡大させて突起を形成し、前記延長部位を前記衿ネームに挿入した後、前記突起によって前記衿ネームに掛止させるように構成したので、上記した効果に加え、消費者が陳列された被服を手に取るなどした場合でも、表示片の一端が被服から浮くことがなく、よって脱落を一層効果的に防止することができる。
【００１５】
また、請求項３に係る商品陳列用ラベルにあっては、前記表示片に、前記被服の外衿側において少なくとも部分的に連続すると共に、折り返されて前記被服の内衿側に挿入されるべき折り返し片を形成するように構成したので、上記した効果に加え、被服の外衿側の表示片も被服から浮くことがなく、よって脱落を一層効果的に防止することができる。
【００１６】
また、請求項４に係る商品陳列用ラベルにあっては、前記表示片の、前記被服の外衿側における面積を前記被服の後側における前記外衿の面積よりも大きくするように構成したので、上記した効果に加え、被服に関する情報をより詳細に表示片に記載することができ、よって消費者の注意を一層効果的に引き付けることができる。
【００１７】
また、請求項５に係る商品陳列用ラベルにあっては、前記折り返し片が、前記表示片の一部を切り欠いて形成されるように構成したので、上記した効果に加え、構成として簡易であると共に、被服の外衿側の表示片も被服から浮くことがなく、よって脱落を一層効果的に防止することができる。
【００１８】
尚、この明細書で「外衿」とは、被服の衿の外側、即ち、衿の表側となる部分を意味する。また、「内衿」とは、被服の衿の内側、即ち、衿の裏側となる部分を意味する。
【発明を実施するための最良の形態】
【００１９】
以下、添付図面に即してこの発明に係る商品陳列用ラベルを実施するための最良の形態について説明する。
【実施例１】
【００２０】
図１は、この実施の形態に係る商品陳列用ラベルの平面図である。
【００２１】
図１において、符号１０は商品陳列用ラベルを示す。商品陳列用ラベル１０は、使用前において、例えば一枚の紙からなり、平面的な形状を呈する。また、商品陳列用ラベル１０は、被服のサイズ、素材、特徴、広告など（被服に関する情報）が記載されるべき表示片１０ａ，１０ｂおよび被服の内衿側に挿入されるべき折り返し片１０ｃからなる。尚、表示片１０ｂおよび折り返し片１０ｃは、略矩形の形状を呈する。
【００２２】
表示片１０ａには、その端部を部分的に延長させることによって、被服の内側に逢着される衿ネームに挿入して掛止されるべき延長部位１０ａ１が形成される。具体的には、幅方向において表示片１０ａを縮小させた延長部位１０ａ１が、表示片１０ａの端部に形成される。
【００２３】
さらに、延長部位１０ａ１の末端を幅方向に拡大させることによって、前記衿ネームに挿入して掛止されるべき突起１０ａ２が形成される。尚、延長部位１０ａ１および突起１０ａ２の幅方向における寸法は、前記衿ネームの形状に応じて適宜設定される。
【００２４】
表示片１０ａと表示片１０ｂの境界において、商品陳列用ラベルを使用するときに、折り曲げられる箇所を表す第１の折り返し線１２が破線で示される。同様に、表示片１０ｂと折り返し片１０ｃの境界において、第２の折り返し線１４が破線で示される。説明の便宜上、第１の折り返し線１２および第２の折り返し線１４を破線で示したが、実際の商品陳列用ラベルに必ずしも破線を記載する必要はない。
【００２５】
また、第２の折り返し線１４の両端部分において、切り込み部１６が形成される。
【００２６】
ここで、この商品陳列用ラベル１０の使用（取り付け）方法を、図２および図３を用いて説明する。
【００２７】
図２は、図１に示す商品陳列用ラベル１０が被服に取り付けられた状態を示す正面図であり、図３は、その背面斜視図である。
【００２８】
符号２０は被服を示し、符号２２は被服２０の衿部を示す。まず、商品陳列用ラベル１０を、被服に取り付けたときに被服に関する情報が記載されている面が表側になるように、即ち、消費者に見えるように第１の折り返し線１２で折り曲げ、衿部２２を跨ぐように配置する。
【００２９】
次に、延長部位１０ａ１および突起１０ａ２を、被服の内側２４において左右両端を縫合された衿ネーム２６と被服２０とで形成された間隙に、図中の矢印の方向より挿入し、その後突起１０ａ２を衿ネーム２６に掛止する。
【００３０】
一方、被服２０の後側（背面側）において、図３に良く示す如く、商品陳列用ラベル１０を第２の折り返し線１４で折り曲げ、折り返し片１０ｃを被服１２の内衿側２８に挿入する。以上により、商品陳列用ラベル１０は固定され、取り付けが終了する。
【００３１】
このように、この実施例にあっては、折り曲げられて被服２０の外衿側から前記被服の内側２４に向けて延びるように構成されると共に、少なくとも前記被服に関する情報が記載されるべき表示片１０ａ，１０ｂを備えた商品陳列用ラベル１０において、前記表示片１０ａの端部を少なくとも部分的に延長させて延長部位１０ａ１を形成し、前記延長部位１０ａ１を前記被服の内側に逢着される衿ネーム２６に挿入して掛止させるように構成したので、簡易な構成であると共に、消費者の注意を引き付ける効果（アイキャッチ効果）を高くすることができる。さらに、消費者が陳列された被服を手に取るなどした場合でも、表示片の一端が被服から浮く（剥がれる）ことがなく、よって脱落を防止することができる。
【００３２】
また、前記延長部位１０ａ１の末端を幅方向に拡大させて突起１０ａ２を形成し、前記延長部位を１０ａ１前記衿ネーム２６に挿入した後、前記突起１０ａ２によって前記衿ネーム２６に掛止させるように構成したので、上記した効果に加え、消費者が陳列された被服を手に取るなどした場合でも、表示片の一端が被服から浮くことがなく、よって脱落を一層効果的に防止することができる。
【００３３】
また、前記表示片１０ｂに、前記被服の外衿側において少なくとも部分的に連続すると共に、折り返されて前記被服の内衿側２８に挿入されるべき折り返し片１０ｃを形成するように構成したので、上記した如く、消費者が陳列された被服を手に取るなどした場合でも、表示片の一端が被服から浮くことがないと共に、被服の外衿側の表示片も被服から浮くことがなく、よって脱落を一層効果的に防止することができる。
【００３４】
また、第２の折り返し線１４の両端部分において、切り込み部１６が形成されるように構成したので、商品陳列用ラベル１０を第２の折り返し線１４で折り曲げ易くすることができる。
【実施例２】
【００３５】
次いで、この発明の第２実施例に係る商品陳列用ラベルについて説明する。
【００３６】
図４は、第２実施例に係る商品陳列用ラベルの平面図であり、図５は、図４に示す商品陳列用ラベル１０が被服に取り付けられた状態を示す背面図である。
【００３７】
この実施例においても、商品陳列用ラベル１０は、使用前において、例えば一枚の紙からなり、平面的な形状を呈する。また、商品陳列用ラベル１０は被服に関する情報が記載されるべき表示片１０ａ，１０ｂ´および被服の内衿側に挿入されるべき折り返し片１０ｃからなる。
【００３８】
第１実施例との相違点に焦点をおいて説明すると、第２実施例における表示片１０ｂ´は、表示片１０ａと連続する部分（第１の折り返し線１２）を除いて略円形となるように構成される。
【００３９】
即ち、表示片１０ｂ´は、表示片１０ａと連続する部分（第１の折り返し線１２）を除いて略円形となるように構成されることによって、図５に示す如く、表示片１０ｂ´の、被服の外衿側における面積が、被服の後側における外衿３２の面積（図に斜線で示す部分）よりも大きくなるように構成される。
【００４０】
また、折り返し片１０ｃは、表示片１０ｂ´の切り欠き部３０（図において実線で示す部分）を切り欠いて（切断して）形成される。換言すれば、折り返し片１０ｃは、第２の折り返し線１４の部分でのみ表示片１０ｂ´と連続している。従って、第１実施例と同様に、商品陳列用ラベル１０を第２の折り返し線１４で折り曲げ、折り返し片１０ｃを被服１２の内衿側２８に挿入して固定し、取り付ける。
【００４１】
このように、第２実施例にあっては、前記表示片１０ｂ´の、前記被服の外衿側における面積を前記被服の後側における前記外衿３２の面積よりも大きくするように構成したので、第１実施例の効果に加え、被服に関する情報をより詳細に表示片に記載することができ、よって消費者の注意を一層効果的に引き付けることができる。
【００４２】
また、折り返し片１０ｃが、表示片の一部（切り欠き部３０）を切り欠いて形成されるように構成したので、上記した効果に加え、構成として簡易であると共に、被服の外衿側の表示片も被服から浮くことがなく、よって脱落を一層効果的に防止することができる。
【００４３】
尚、残余の構成、取り付け方法および効果は第１実施例と同様であるので、説明を省略する。
【実施例３】
【００４４】
次いで、この発明の第３実施例に係る商品陳列用ラベルについて説明する。
【００４５】
図６は、第３実施例に係る商品陳列用ラベルの平面図であり、図７は、図６に示す商品陳列用ラベル１０が被服に取り付けられた状態を示す背面図である。
【００４６】
この実施例においても、商品陳列用ラベル１０は、使用前において、例えば一枚の紙からなり、平面的な形状を呈する。また、商品陳列用ラベル１０は被服に関する情報が記載されるべき表示片１０ａ，１０ｂからなる。即ち、第１実施例における折り返し片１０ｃを除去するように構成した。
【００４７】
従って、脱落防止効果は少し劣るが、より簡易な構成で消費者の注意を引き付ける効果（アイキャッチ効果）を高くすることができる。
【００４８】
このように、第３実施例にあっては、折り曲げられて被服２０の外衿側から前記被服の内側２４に向けて延びるように構成されると共に、少なくとも前記被服に関する情報が記載されるべき表示片１０ａ，１０ｂを備えた商品陳列用ラベル１０において、前記表示片１０ａの端部を少なくとも部分的に延長させて延長部位１０ａ１を形成し、前記延長部位１０ａ１を前記被服の内側に逢着される衿ネーム２６に挿入して掛止させるように構成したので、より構成が簡易であると共に、消費者の注意を引き付ける効果（アイキャッチ効果）を高くすることができる。さらに、消費者が陳列された被服を手に取るなどした場合でも、表示片の一端が被服から浮く（剥がれる）ことがなく、よって脱落を防止することができる。
【００４９】
尚、残余の構成、取り付け方法および効果は第１実施例と同様であるので、説明を省略する。
【００５０】
以上の如く、この発明の第１実施例から第３実施例にあっては、折り曲げられて被服（２０）の外衿側から前記被服の内側（２４）に向けて延びるように構成されると共に、少なくとも前記被服に関する情報が記載されるべき表示片（１０ａ，１０ｂ）を備えた商品陳列用ラベルに（１０）おいて、前記表示片（１０ａ）の端部を少なくとも部分的に延長させて延長部位（１０ａ１）を形成し、前記延長部位（１０ａ１）を前記被服の内側に逢着される衿ネーム（２６）に挿入して掛止させるように構成した。
【００５１】
また、前記延長部位（１０ａ１）の末端を幅方向に拡大させて突起（１０ａ２）を形成し、前記延長部位（１０ａ１）を前記衿ネーム（２６）に挿入した後、前記突起（１０ａ２）によって前記衿ネーム（２６）に掛止させるように構成した。
【００５２】
また、第１実施例および第２実施例にあっては、前記表示片（１０ｂ）に、前記被服の外衿側において少なくとも部分的に連続すると共に、折り返されて前記被服の内衿側（２８）に挿入されるべき折り返し片（１０ｃ）を形成するように構成した。
【００５３】
また、第２実施例にあっては、前記表示片（１０ｂ´）の、前記被服の外衿側における面積を前記被服の後側における前記外衿（３２）の面積よりも大きくするように構成した。
【００５４】
また、第２実施例にあっては、前記折り返し片（１０ｃ）が、前記表示片の一部（切り欠き部３０）を切り欠いて形成されるように構成した。
【００５５】
尚、上記において、「被服」をシャツ、背広、パジャマなどとしたが、これは例示であって、衿を備えた被服であれば、必ずしもこれに限られるものではない。また、第３実施例の商品陳列用ラベル１０においては、衿を備えない被服であっても取り付けることができる。
【００５６】
また、上記において、商品陳列用ラベル１０の材料として紙を使用したが、これは例示であって、第１の折り返し線１２および第２の折り返し線１４で折り曲げることが可能であれば、必ずしもこれに限られるものではない。
【００５７】
また、上記において、表示片１０ａ，１０ｂ（１０ｂ´）および折り返し片１０ｃを図面に示す如き形状としたが、これは例示であって、必ずしもこれに限られるものではない。
【００５８】
また、上記において、第２の折り返し線１４の両端部分にのみ切り込み部１６を形成するように構成したが、これは例示であって、一端だけに形成しても良いし、さらには、第１の折り返し線１２の両端部分にも形成するように構成しても良い。
【図面の簡単な説明】
【００５９】
【図１】この発明の第１実施例に係る商品陳列用ラベルの平面図である。
【図２】図１に示す商品陳列用ラベルが被服に取り付けられた状態を示す正面図である。
【図３】図１に示す商品陳列用ラベルが被服に取り付けられた状態を示す背面斜視図である。
【図４】この発明の第２実施例に係る商品陳列用ラベルの平面図である。
【図５】図４に示す商品陳列用ラベルが被服に取り付けられた状態を示す背面図である。
【図６】この発明の第３実施例に係る商品陳列用ラベルの平面図である。
【図７】図６に示す商品陳列用ラベルが被服に取り付けられた状態を示す背面図である。
【符号の説明】
【００６０】
１０    商品陳列用ラベル
１０ａ  表示片
１０ｂ（１０ｂ´）  表示片
１０ｃ  折り返し片
１０ａ１  延長部位
１０ａ２  突起
２０    被服
２４    被服の内側
２６    衿ネーム
２８    被服の内衿側
３０    切り欠き部
３２    外衿
【図１】
2005156724.tif 000003
【図２】
2005156724.tif 000004
【図３】
2005156724.tif 000005
【図４】
2005156724.tif 000006
【図５】
2005156724.tif 000007
【図６】
2005156724.tif 000008
【図７】
2005156724.tif 000009